(57)【特許請求の範囲】
【請求項１】
左右の両前身頃に、それぞれ別個の横方向開口部が開設され、
該開口部の上下縁が当接され、チドリ縫い等の縫合組織で縫い結合されている
オストメイト用下ばき。
【請求項２】
開口部の上下縁がそれぞれ縁布で包被されており、チドリ縫い等の縫合組織の縫い糸が縁布と異色の縫い糸とされている請求項１記載のオストメイト用下ばき。
【請求項３】
開口部の当接されている上下縁が、チドリ縫い等の縫合組織で縫い結合されており、
さらに、当接されている上下縁とその縫合組織とが、開口部長さ方向の複数箇所において、縦方向の縫合組織により、複数区分されている請求項１または請求項２記載のオストメイト用下ばき。
【請求項４】
開口部の上下縁を包被する縁布の少なくとも１端が、前身頃の縦縫目において身頃と一体に縫合されている請求項２または請求項３記載のオストメイト用下ばき。
【請求項５】
縁布の少なくとも１端が、該縁布の角度１８０度の反転折り返しによる上下の縁布の連続部とされている請求項２，請求項３または請求項４記載のオストメイト用下ばき。
【請求項６】
開口部の縁を包被する縁布内に弾性条帯が内包され、少なくとも、左右両端において縁布に縫合されている請求項２，請求項３，請求項４または請求項５記載のオストメイト用下ばき。
【発明の詳細な説明】
【０００１】
【発明の属する技術分野】
本発明は、ストーマすなわち人工肛門に装着されるパウチとか、人工膀胱とかを使用しているオストメイトが使用するオストメイト用下ばきの改良に関する。
【０００２】
【従来の技術】
オストメイト用下ばきとしては、既に、実開昭５６ー４２９０１号公報，実開昭６０ー１８９５０３号公報，実開平２ー９６１１３号公報等に開示されているが、いずれも開口部が１箇所であり、ストーマ位置が体側の左右いずれかに偏っている場合とか、ストーマと人工膀胱との双方が必要な場合等に対応できない問題を有している。
【０００３】
【発明が解決しようとする課題】
本発明は、オストメイトのストーマの位置が、下腹部の左右いずれかの位置に形成されるとしても、良好に、簡単に対応でき、またオストメイトがストーマと人工膀胱との両者を使用する場合にも簡単に対応できるのみでなく、ストーマ用開口部の開設を誤りなく簡単に行うことができると共に、ストーマのパウチ取付用の開口部の縁の保形性が良好で、外観も佳良なオストメイト用下ばきを提供することを課題としている。
【０００４】
【課題を解決するための手段】
前記課題を解決するため、請求項１の発明では、パンツ，ショーツ等の下ばきの左右の両前身頃にそれぞれ別個の横方向開口部を開設し、該開口部の上下縁を当接させて、チドリ縫い等の縫合組織で縫い結合するという構成とした。
【０００５】
請求項２の発明では、開口部の上下縁を、それぞれ縁布で包被し、チドリ縫い等の縫合組織の縫い糸を、縁布と異色の縫い糸とし、開口部を開く際の切断すべき縫い糸の視認を容易とした。
【０００６】
請求項３の発明では、開口部の上下縁をチドリ縫い等の縫合組織で縫合すると共に、上下縁と縫合組織とを、開口部長さ方向の複数箇所で、縦方向の縫合組織により、複数区分し、ストーマのパウチとか人工膀胱等の取り付けに必要な長さだけ開口部を切開できるようにした。
【０００７】
請求項４の発明では、開口部の上下縁を包被する縁布の少なくとも１端を前身頃の縦縫目において、身頃と一体に縫合することにより、縫合工程の節減と開口部端の補強とを図りうるようにした。
【０００８】
請求項５の発明では、開口部の上下縁を包被する縁布の少なくとも１端を、該縁布の角度１８０度のＵ曲状の反転折り返しによる上下縁布の連続部とし、開口部端の補強を図り、かつ開口部の外観を佳良とした。
【０００９】
請求項６の発明では、開口部縁を包被する縁布内に、ゴム織り込みテープ等の弾性条帯を内包し、少なくとも左右両端で縁布に縫合することにより、開口部の拡開、原形への復元を弾発的に行うことができ、常に開口縁を整然とした形態たらしめうるようにした。
【００１０】
【発明の実施の形態】
図１および図４は、請求項１および請求項４の両発明を併せ適用した男性用メリヤス製パンツの実施の一例を示しており、左前身頃１、右前身頃２が前立て３を中央として縦縫目４，５等で縫合されてパンツに仕立てられており、左右の両前身頃１，２の上部にそれぞれ別個に、横方向の開口部６が開設されており、開口部の上下縁は、図４に示されるごとく、縁布７，８で包被され、縁布７，８で包被された上下縁９，１０が当接されてチドリ縫い等の縫い糸を視認しやすく、かつ比較的粗な縫合組織１００で縫合されている。
【００１１】
開口部５，６は、図１および図４に示されるごとく、縁布７，８の１端１１，１２において、前身頃の縦縫目、図示例では左右の両前身頃１，２と前立３との縦縫目１３，１４において両前身頃１，２と一体に縫合され、縁布７，８の他端１５，１６は、それぞれ前身頃１および２に縫合されている。
【００１２】
請求項２の発明では、前記チドリ縫い等の縫合組織１００の縫い糸を、縁布７，８の色と明確に区分できる異色の色の縫い糸とし、縫合組織１００を切開し、開口部６を開口させる際の切断部分を明瞭に判別できるようにしている。
【００１３】
開口部６は、各種存在するストーマのパウチのうちの最大寸法のものに適用できる長さに設定する必要が存するが、それより小寸法のパウチの場合には、取付姿勢が安定しない恐れが存するので、請求項３の発明では、図５に示すごとく、縁布７，８で包被された上下縁９，１０と、その縫合組織１００とを、開口部長さ方向の複数箇所Ａ，Ｂ，Ｃ，Ｄ，Ｅ，Ｆにおいて、縦方向の縫合組織１０１，１０２，１０３，１０４，１０５，１０６で縫合して複数区画に区分し、必要とされる長さの区分部分のみの縫合組織１００を切開し、必要長さの開口部６を開口させうるように構成している。
【００１４】
以上説明した各実施例は、いずれも開口部６の上下縁を包被する縁布７，８がそれぞれ別体のものであるが、請求項５の発明では、図２，図３および図６に示されるごとく、一連の縁布を、開口部の少なくとも１端において角度１８０度の反転折り返しにより、上下縁を包被する縁布を一連に連続させたものである。すなわち図６に示されるように、開口部１７の上下縁１８，１９を包被する縁布２０が、少なくとも開口部１７の１端２１において、角度１８０度Ｕ曲されて反転折り返しされた一連のものとし、開口部１７の１端２１が、該開口部１７の過度の拡開により破断するのを防止したものであるが、勿論縁布を開口部の両端で反転折り返し、下部開口部縁で縫接させてもよい。
【００１５】
図２は、織布製の男子用パンツ２２の左右の両前身頃に、請求項５の発明に係る縁布包被構造を有する開口部２３，２４を形成した実施例であり、図３は婦人用ショーツ２５に、図２に示すものと同様の縁布包被構造を有する開口部２６，２７を形成した実施例である。
【００１６】
図７は、請求項６の発明の実施の一例を示しており、開口部２８の上下縁が縁布２９，３０で包被され、上下縁がチドリ縫い等の縫合組織１００で縫い結合されていることは、図４，図５および図６に示される実施例と同一構造であるが、縁布２９，３０による開口部２８の上下縁の包被構造中に、すなわち縁布２９，３０と開口部２８の上下縁との間に、ゴム織り込みテープ等の弾性条帯３１，３２を内装し、左右両端において、該縁布２９，３０と上下縁とに縫合し、開口部２８を大きく拡開させても、弾性条帯３１，３２の復元弾性により、常に原形に戻ろうとする勢力を保持させ、開口部２８の上下縁の形態を常時整然とさせうるようにしたものである。
【００１７】
【発明の効果】
請求項１の発明によると、オストメイトのストーマの位置が下腹部の左右いずれかの位置に形成される場合でも、必要とされる側の前身頃の開口部の縫合組織を切開するのみで対応でき、またオストメイトがストーマと人工膀胱との双方を形成され、使用せざるを得ない場合でも、左右両前身頃の開口部の縫合組織の切開のみで簡単に対応できる効果を奏する。
【００１８】
請求項２の発明によると、上下の縁布の縫合組織の縫い糸の色が縁布と異色とされているので、開口部形成のために切開すべき縫合組織の縫い糸の識別が著しく容易であり、縁布の誤切開による縁布のほつれ等の発生を良好に防止できる効果を奏する。
【００１９】
請求項３の発明によると、開口部の上下縁を縫い結合している縫合組織と上下縁とを開口部長さ方向で複数区分している縦方向の縫合組織を、必要とされる開口部横方向の開口長さに応じて切開し、その間の上下縁のチドリ縫い等の縫合組織を更に切開するのみで必要とされる横方向長さの開口部を形成でき、ストーマのパウチあるいは人工膀胱等の取り付けを安定したものとしうる効果を奏する。
【００２０】
請求項４の発明によると、開口部の上下縁を包被する縁布の少なくとも１端が前身頃と前立あるいは後身頃との縫接部たる縦縫目において一体に縫合されているので、縁布の縫合工程を少なくとも１工程省略でき、しかも強靱な縫接部としうる効果を奏する。
【００２１】
請求項５の発明によると、開口部の上下縁の包被する縁布の少なくとも１端が該縁布の角度１８０度の反転折り返しによる連続部とされているので、開口部の拡開の繰り返しが行われても、開口部の当該端部が縁布で補強され、開口部の拡開が繰り返されても開口部端の破断を防止できる効果を奏し、外観も良好としうる効果も奏する。
【００２２】
請求項６の発明によると、開口部の上下縁が伸縮性を持ち、少なくとも原形復元性能を保有しうるので、開口部に取り付け、配設したストーマのパウチとか、人工膀胱等の保持を確実とし、その際の外観も良好としうる効果を奏する。
【図面の簡単な説明】
【図１】  本発明の実施の一例の略示正面図である。
【図２】  本発明の他の実施例の略示正面図である。
【図３】  本発明の更に異なる実施例の略示正面図である。
【図４】  開口部の一例の略示拡大正面図である。
【図５】  開口部の別の実施例の略示拡大正面図である。
【図６】  開口部の他の実施例の略示拡大正面図である。
【図７】  開口部の更に異なる実施例の略示拡大正面図である。
【符号の説明】
１  左前身頃
２  右前身頃
４，５  縦縫目
６  開口部
７，８，２０  縁布
９，１０  上下縁
１１，１２  縁布の１端
１３，１４  縦縫目
３１，３２  弾性条帯
１０１〜１０６  縦方向の縫合組織
Ａ〜Ｆ  複数箇所
【図１】
0003917735.tif 000002
【図２】
0003917735.tif 000003
【図３】
0003917735.tif 000004
【図４】
0003917735.tif 000005
【図５】
0003917735.tif 000006
【図６】
0003917735.tif 000007
【図７】
0003917735.tif 000008